(57)【要約】【課題】無線伝送により電力を受ける受電側装置への供給電力が該装置の動作にとって充分でなくなったことを無線電力送信装置が判断して、ＡＶ（映像音声）信号の出力制御に支障を来たさないようにすること。【解決手段】無線送信ユニット１００は、ディスプレイ２００に無線送電する無線電力送信部１０３と、無線送信する電力量を検出する電力量検出部１０２を有する。ＡＶ信号無線送信部１０９はディスプレイ２００のＡＶ信号無線受信部２０４にコンテンツのＡＶ信号を無線送信する。比較／制御部１０４は、電力量検出部１０２から得た電力量検出値を閾値と比較する。比較／制御部１０４は、電力量検出値が閾値を超えた場合、ディスプレイ２００への供給電力が充分でないと判断し、ＡＶ信号をＡＶ信号記録装置１０８に記録させ、電力量検出値が閾値以下になったときに再生してＡＶ信号を出力する制御を行う。【選択図】図２
2012085499.tif 000002
【特許請求の範囲】
【請求項１】
無線受電可能な映像表示装置に対して無線により電力を送信するとともに受信した映像音声信号を前記映像表示装置に出力する無線電力送信装置であって、
前記映像音声信号を前記映像表示装置に出力する信号出力手段と、
前記映像表示装置に対して無線で電力を送信する無線電力送信手段と、
前記無線電力送信手段が送信する電力量を検出する電力量検出手段と、
前記映像表示装置に対する前記映像音声信号の出力中に前記電力量検出手段による電力量検出値が閾値を超えた場合、前記映像表示装置に出力するための映像音声信号を記録部に記録させる制御手段と、を備えることを特徴とする無線電力送信装置。
【請求項２】
前記制御手段は、前記記録部に前記映像音声信号の記録が開始された後、前記電力量検出手段による電力量検出値が閾値以下となった場合、前記記録部に記録された映像音声信号を前記記録部から再生させ、前記信号出力手段は、再生された映像音声信号を前記映像表示装置に出力することを特徴とする請求項１に記載の無線電力送信装置。
【請求項３】
無線受電可能な映像表示装置に対して無線により電力を送信するとともに、記録部に記録された映像音声信号を再生し、再生された映像音声信号を前記映像表示装置に出力する無線電力送信装置であって、
前記映像音声信号を前記映像表示装置に出力する信号出力手段と、
前記映像表示装置に対して無線で電力を送信する無線電力送信手段と、
前記無線電力送信手段が送信する電力量を検出する電力量検出手段と、
前記映像表示装置に対する前記映像音声信号の出力中に前記電力量検出手段による電力量検出値が閾値を超えた場合、当該映像音声信号の再生を停止させる制御手段と、
を備えることを特徴とする無線電力送信装置。
【請求項４】
前記制御手段は、前記記録部に記録された映像音声信号の再生を停止させた後、前記電力量検出手段による電力量検出値が閾値以下となった場合、停止していた前記映像音声信号の再生を再開させる制御を行うことを特徴とする請求項３に記載の無線電力送信装置。
【請求項５】
無線電力送信手段により無線受電可能な映像表示装置に対して無線により電力を送信するとともに受信した映像音声信号を前記映像表示装置に出力する無線電力送信装置の制御方法であって、
前記無線電力送信手段が送信する電力量を検出する電力量検出ステップと、
前記電力量検出ステップで検出した電力量検出値を閾値と比較する比較ステップと、
前記映像表示装置に対する映像音声信号の出力中に前記比較ステップにおいて前記電力量検出値が前記閾値を超えた場合、前記映像表示装置に出力するための映像音声信号を記録部に記録させる制御ステップと、を有することを特徴とする無線電力送信装置の制御方法。
【請求項６】
無線電力送信手段により無線受電可能な映像表示装置に対して無線により電力を送信するとともに、記録部に記録された映像音声信号を再生し、再生された映像音声信号を前記映像表示装置に出力する無線電力送信装置の制御方法であって、
前記無線電力送信手段が送信する電力量を検出する電力量検出ステップと、
前記電力量検出ステップで検出した電力量検出値を閾値と比較する比較ステップと、
前記映像表示装置に対する映像音声信号の出力中に前記比較ステップにおいて前記電力量検出値が前記閾値を超えた場合、当該映像音声信号の再生を停止させる制御ステップと、を有することを特徴とする無線電力送信装置の制御方法。
【発明の詳細な説明】
【技術分野】
【０００１】
本発明は、無線電力伝送による送信電力に応じてコンテンツの出力を制御する無線電力送信装置及びその制御方法に関するものである。
【背景技術】
【０００２】
近年、無線で電子機器に送電するシステムが考案されている。非特許文献１には、同じ共振特性をもつ２つのＬＣ共振器を組み合わせて、電磁場の共鳴で送電する無線電力伝送システムが報告されている。
この種の無線電力伝送システムを、ＡＶ（Audio Visual）信号の無線通信システムと組み合わせて、テレビジョン装置へ応用することが考えられる。この場合、無線送電の送信用ＬＣ共振器とＡＶ信号の無線送信部を搭載した無線送信ユニットが使用される。該無線送信ユニットを天井の所望位置から吊るす形態、壁の所望位置に掛ける形態、あるいは床の所望位置に置いて使用する形態等が考えられる。一方、無線送電の受信用ＬＣ共振器とＡＶ信号の無線受信部を搭載した、スピーカ付きディスプレイでは、受信した電力でシステムを機能させ、ＡＶ信号を受信して映像及び音声を出力することが考えられる。
特許文献１には、ディスプレイ部とチューナ部を分離し、ディスプレイ部を自由に移動できるテレビジョン装置が開示されている。この装置はディスプレイ部とチューナ部が分離する際に接点を検出して録画が開始し、またディスプレイ部に２次電池を搭載して、相互データ通信部の異常を検知すると録画を開始する。
ところで、送信用ＬＣ共振器と受信用ＬＣ共振器の位置関係や距離によって給電効率が変化する。例えば、ディスプレイでユーザが番組の視聴を続けたまま、所望の位置に移動して使用する場合や、無線送電の送信装置とディスプレイとの間に無線送電に支障を来たす障害物が介在する場合などが想定される。この場合に給電効率が低下して受電側装置の動作に必要な電力が供給できなくなると（以下、電力不足状態という）、表示画面の輝度が低下し、また映像の途切れや音量の低下若しくは音声の途切れが発生し、ユーザの番組視聴が中断されて見逃しが起こり得る。
【先行技術文献】
【特許文献】
【０００３】
【特許文献１】特開２００７−０６７８３７号公報
【非特許文献】
【０００４】
【非特許文献１】「ＮＥ日経エレクトロニクス」日経ＢＰ社 出版、２００７年１２月３日、ｐ．１１７−１２７
【発明の概要】
【発明が解決しようとする課題】
【０００５】
上記のように、無線送電時の送信用ＬＣ共振器と受信用ＬＣ共振器の位置関係や距離によって給電効率が低下した場合、受電側装置の動作に必要な電力が供給できなくなる。従来の装置では、受電側装置が電力不足状態に陥ってコンテンツの出力制御に問題が起きることへの対策が充分に講じられていない。
特許文献１に開示の接点検出法では、ディスプレイ部とチューナ部が分離する際の接点を検出して録画が行われるだけである。つまり、この方法は、両者の位置関係や距離による給電効率を考慮する必要のある、接点を持たない無線電力伝送システムを用いた装置に適用することは難しい。また相互データ通信検出法についても送受信する電力を考慮してはいないので、伝送距離の短い無線電力伝送システムが先に機能しなくなった場合にはデータの通信検出が遅れてしまう。
そこで本発明は、無線伝送により電力を受ける受電側装置への供給電力が該装置の動作にとって充分でなくなったことを無線電力送信装置が判断して、映像音声信号の出力制御に支障を来たさないようにすることを目的とする。
【課題を解決するための手段】
【０００６】
上記課題を解決するために本発明に係る装置は、無線受電可能な映像表示装置に対して無線により電力を送信するとともに受信した映像音声信号を前記映像表示装置に出力する無線電力送信装置であって、前記映像音声信号を前記映像表示装置に出力する信号出力手段と、前記映像表示装置に対して無線で電力を送信する無線電力送信手段と、前記無線電力送信手段が送信する電力量を検出する電力量検出手段と、前記映像表示装置に対する前記映像音声信号の出力中に前記電力量検出手段による電力量検出値が閾値を超えた場合、前記映像表示装置に出力するための映像音声信号を記録部に記録させる制御手段と、を備える。
【発明の効果】
【０００７】
本発明によれば、無線送電による受電側装置への供給電力が充分でなくなったことを無線電力送信装置が判断し、映像音声信号の出力制御に支障を来たさないようにすることで、利便性を向上させることができる。
【図面の簡単な説明】
【０００８】
【図１】本発明の第１実施形態を説明するために、電力及びＡＶ信号の無線送信ユニット１００及びディスプレイ２００を示す模式図である。
【図２】図１の無線送信ユニット１００の構成例を（Ａ）に示し、ディスプレイ２００の構成例を（Ｂ）に示すブロック図である。
【図３】送信電力の判定に用いる閾値の設定方法を説明するために、無線伝送電力と距離の関係を示すグラフである。
【図４】ＡＶ信号の記録開始及び続行の処理例を説明するフローチャートである。
【図５】図４に続いて実行する記録制御処理例を説明するフローチャートである。
【図６】本発明の第２実施形態に係る無線送信ユニット５００の構成例を示すブロック図である。
【図７】第２実施形態に係るＡＶ信号の再生制御処理例を説明するフローチャートである。
【図８】図７に続いて実行する再生制御処理例を説明するフローチャートである。
【発明を実施するための形態】
【０００９】
（第１実施形態）
以下、本発明の第１実施形態について、図面を参照して説明する。
図１は、電力の無線送電と、映像音声信号（以下、ＡＶ信号ともいう）の無線伝送を行う機能を有する装置を示す模式図である。無線送信ユニット１００はディスプレイ２００に対し、電力とＡＶ信号を無線で伝送する。無線送信ユニット１００は商用交流電源または直流電源等に接続される。またディスプレイ２００は無線受電可能な映像表示装置であり、無線送信ユニット１００以外からの電力供給は受けないものとする。つまりディスプレイ２００は商用交流電源に接続されておらず、また２次電池や太陽電池等から電源供給を受けない。なお、本発明を実施する上でＡＶ信号の伝送形態については無線でも有線でもよいが、本実施形態では無線伝送の場合を説明する。
【００１０】
図２（Ａ）は、無線電力送信装置である無線送信ユニット１００の構成例を示すブロック図である。図中に実線の矢印で示す電力の送信系統では、電力供給部１０１、電力量検出部１０２、無線電力送信部１０３を経て無線送電が行われる。また点線の矢印で示すＡＶ信号の処理系統では、受信アンテナ１０５からチューナ１０６で放送信号を受信する。ＡＶ信号処理部１０７、ＡＶ信号記録装置１０８、ＡＶ信号無線送信部１０９が設けられ、ＡＶ信号送信アンテナ１１０からディスプレイ２００に向けてＡＶ信号が無線送信される。本例ではＡＶ信号記録装置１０８が無線送信ユニット１００の装置内に設けられ、ディスプレイ２００に出力するＡＶ信号を記録する記録部である。しかし、別の実施形態においてはＡＶ信号記録装置１０８が無線送信ユニット１００の装置外にあって当該ユニットに接続される外部装置でもよい。比較／制御部１０４は無線送信ユニット１００を制御し、また後述の電力比較処理を担当する。
図２（Ｂ）は無線送電の受電側装置であるディスプレイ２００の構成例を示すブロック図である。無線電力の受電系統には、無線電力受信部２０１、ディスプレイ用電力供給部２０２が設けられている。また、ＡＶ信号の受信系統には、ＡＶ信号受信アンテナ２０３、ＡＶ信号無線受信部２０４、ディスプレイ用ＡＶ信号処理部２０５が設けられ、表示部２０６が画像を表示し、スピーカ２０７が音声を出力する。
【００１１】
次に、電力の無線伝送について説明する。
電力供給部１０１は、図示しない商用交流電源または直流電源から電源供給を受ける。電力供給部１０１は電源電圧を、無線電力送信のために適切な電圧に変換し、電力量検出部１０２を介して無線電力送信部１０３に電力を供給する。また、電力供給部１０１は、無線送信ユニット１００内の処理や制御動作等に必要な電力を各部に供給するが、ここでは図示及び説明を省略する。
電力量検出部１０２は、電力供給部１０１から無線電力送信部１０３へ供給される電力量を検出し、検出結果を比較／制御部１０４に送る。比較／制御部１０４はディスプレイ２００へのＡＶ信号の出力中に電力量検出値を閾値と比較する。つまり比較／制御部１０４は電力量検出部１０２から検出結果を受け取り、電力量検出値を予めメモリに記憶しておいた閾値（電力値）と比較し、比較結果に基づいてＡＶ信号を制御する。なお、電力量検出部１０２と比較／制御部１０４の動作、および閾値の設定方法については後で詳述する。
無線電力送信部１０３は、電力供給部１０１から供給された電力を、ディスプレイ２００の無線電力受信部２０１に対して無線送信する。例えば、インダクタンス成分（Ｌ）とキャパシタンス成分（Ｃ）から成る無線電力送信用ＬＣ共振器が使用される。これはコイルの磁界エネルギーとキャパシタの電界エネルギーが周期的に移動して共振する特徴をもち、無線電力受信部２０１の無線電力受信用ＬＣ共振器と共鳴する特性をもつ。
ディスプレイ２００の無線電力受信部２０１は、無線電力送信部１０３が送信した電力を受信する。例えば、インダクタンス成分とキャパシタンス成分から成る無線電力受信用ＬＣ共振器が使用され、無線電力送信部１０３の無線電力送信用ＬＣ共振器と共鳴する特性をもつ。
ディスプレイ用電力供給部２０２は、無線電力受信部２０１から電力を得て、装置内で使用する適切なレベルの電圧を生成して各部に電源を供給する。
【００１２】
次に、ＡＶ信号の無線伝送について説明する。
無線送信ユニット１００の受信アンテナ１０５はテレビジョン放送信号を受信する。放送信号は、例えば放送局から送信される映像（Visual）信号、音声（Audio）信号、メタデータ等を多重化して変調された信号である。チューナ１０６は、受信アンテナ１０５で受信したテレビジョン放送信号の復調及び復号を行い、映像信号および音声信号をＡＶ信号処理部１０７に送る。
ＡＶ信号処理部１０７は、チューナ１０６から入力されたＡＶ信号に対し、フォーマット変換や圧縮処理等を行い、処理後のＡＶ信号をＡＶ信号無線送信部１０９へ送る。また、ＡＶ信号処理部１０７は比較／制御部１０４からの制御指示に従って、ＡＶ信号記録装置１０８にＡＶ信号を記録させ、またＡＶ信号記録装置１０８に記録したＡＶ信号を読み出してＡＶ信号無線送信部１０９へ送る。ＡＶ信号記録装置１０８は、ＨＤＤ（ハードディスクドライブ）等のように、記録媒体やメモリにＡＶ信号を記録可能な装置である。
ＡＶ信号無線送信部１０９は、無線送信ユニット１００の外部にＡＶ信号を出力する信号出力処理を担当する。ＡＶ信号無線送信部１０９は、ＡＶ信号処理部１０７から受け取ったＡＶ信号を無線送信するために高周波信号に変調し、ＡＶ信号送信アンテナ１１０から送信する。ＡＶ信号の無線通信には、WirelessHD規格やWHDI（Wireless Home Digital Interface）規格等に準拠したＡＶ信号を無線通信可能なシステムが利用できる。ディスプレイ２００のＡＶ信号受信アンテナ２０３は、ＡＶ信号送信アンテナ１１０から送信された信号を受信して、ＡＶ信号無線受信部２０４へ送る。ＡＶ信号無線受信部２０４は、受信した信号を復調してＡＶ信号に戻し、ディスプレイ用ＡＶ信号処理部２０５へ送る。ディスプレイ用ＡＶ信号処理部２０５は、ＡＶ信号を映像信号と音声信号に分離し、フォーマット変換や伸長処理等の信号処理を行う。処理後の映像信号は表示部２０６に出力され、音声信号はスピーカ２０７に出力される。
【００１３】
次に、無線送信ユニット１００の電力量検出部１０２および比較／制御部１０４の動作について詳説する。
電力量検出部１０２は、電力供給部１０１から無線電力送信部１０３へ供給される電力量を検出する。電力は電流と電圧の積であるので、電流と電圧を検出する方法がある。また、供給電力の変化に対して電流又は電圧が規則的に変化する場合には、規則的に変化する電流又は電圧の一方のみを検出する方法を用いてもよい。本実施形態では狭義の電力（瞬時電力）の検出に限らず、電圧や電流の検出を含めた広義の電力量検出が行われるものとする。
比較／制御部１０４は、電力量検出部１０２が検出した電力値を、予めメモリに記憶しておいた閾値（電力値）と比較する。この閾値とは、無線電力送信部１０３へ供給されて送信される電力に対して比較すべき基準値を意味し、その設定方法については、後で詳述する。
電力量検出部１０２による電力量検出値が前記閾値を超えた場合、比較／制御部１０４はＡＶ信号処理部１０７に対し、ＡＶ信号をＡＶ信号記録装置１０８に記録させるように制御する。これは、無線電力送信部１０３から無線電力受信部２０１に送られる電力がディスプレイ２００の動作にとって充分でない場合に、ＡＶ信号記録装置１０８がＡＶ信号を一時的に記録しておいて、後で再生できるようにするためである。なお処理の詳細については後述する。
【００１４】
次に、前記閾値の設定方法について説明する。
前記の非特許文献１に依れば、無線電力送信用ＬＣ共振器と無線電力受信用ＬＣ共振器の結合の強さ（送電効率）は、ＬＣ共振器間の距離が長くなるほど低下する。また、２つのＬＣ共振器の向きによっても結合の強さが変化する。
図３は、送信電力及び受信電力の距離依存性を概略的に示すグラフ３００であり、縦軸は電力（単位：Ｗ）を表し、横軸は無線電力送信部１０３と無線電力受信部２０１の距離（単位：ｍ）を表す。ここで、無線電力送信部１０３と無線電力受信部２０１の向きについては、互いの結合の強さが最も弱くなる向きに固定している。なお、本実施形態に係るシステムを使用する際、ユーザは無線電力送信部１０３と無線電力受信部２０１の向きを気にする必要はない。
受信電力を示すグラフ線３０１は、ディスプレイ２００全体の消費電力が最も大きくなる状態に設定して、無線電力送信部１０３と無線電力受信部２０１の距離を変化させたときに、無線電力受信部２０１が受信する電力を示す。また送信電力を示すグラフ線３０２は、全体の消費電力が最も大きくなる状態に設定したディスプレイ２００に対して、無線電力送信部１０３から送信する電力を示す。無線電力送信部１０３と無線電力受信部２０１の距離が長くなるに従ってＬＣ共振器の結合が弱くなるため、グラフ線３０２で示す送信電力は距離が長くなるにつれて増加する。本例では、送信電力が距離の増加に対して直線的に増加しているが、曲線的に増加する形態もある。
横軸に示す距離ｘ（ｍ）は、ＬＣ共振器の結合が弱くなってディスプレイ２００の正常な動作に必要な電力を受信できなくなる分岐点を示す。無線電力送信部１０３と無線電力受信部２０１の距離がｘ（ｍ）よりも長くなると、ディスプレイ２００の正常な動作に支障を来たす虞が生じる。現象としては、例えば、表示部２０６の輝度低下や、映像の途切れ、スピーカ２０７から出力される音量の低下、音声の途切れ等が発生し得る。したがって、この分岐点での距離ｘにてグラフ線３０２が示す値を、前記閾値として設定するのが好適である。あるいは、電力量検出部１０２が電力量を検出した時点からＡＶ信号記録装置１０８がＡＶ信号の記録を開始する時点までに時間差がある場合には、前記閾値を分岐点における送信電力値より低い値に設定してもよい。このように閾値については装置の使用環境や仕様等に応じて任意に設定することができる。
【００１５】
次に、無線送信ユニット１００内で電力量を検出してＡＶ信号の記録制御を実行する処理について、図４のフローチャートを用いて説明する。
Ｓ４００で処理が開始し、Ｓ４０１で電力量検出部１０２は、電力供給部１０１から無線電力送信部１０３へ供給される電力量を検出する。電力量検出値は比較／制御部１０４に送られ、Ｓ４０２へ進む。Ｓ４０２で比較／制御部１０４は、Ｓ４０１で得た電力量検出値を前記閾値と比較する。電力量検出値が閾値以下であると比較／制御部１０４が判定した場合（Ｓ４０２のＮＯ）、Ｓ４０１に戻り、継続して電力量検出が行われる。一方、電力量検出値が閾値を超えたと比較／制御部１０４が判定した場合（Ｓ４０２のＹＥＳ）、Ｓ４０３に進む。Ｓ４０３で比較／制御部１０４は、ＡＶ信号記録装置１０８がＡＶ信号を記録中であるか否かを判定する。ＡＶ信号の記録中であると判定された場合、Ｓ４０４に進み、ＡＶ信号の記録中でないと判定された場合、Ｓ４０５に進む。
Ｓ４０４で比較／制御部１０４は、ＡＶ信号記録装置１０８によるＡＶ信号の記録を続行させるように制御した後、Ｓ４０６に進んで処理を終了する。またＳ４０５で比較／制御部１０４は、ＡＶ信号記録装置１０８にＡＶ信号の記録開始させるように制御した後、Ｓ４０６に進んで処理を終了する。
【００１６】
次に、図４のＳ４０５で開始されたＡＶ信号の記録動作を、その後に停止させる処理について、図５のフローチャートを用いて説明する。
Ｓ４１０で処理が開始し、この時点でＡＶ信号記録装置１０８はＡＶ信号の記録中である。Ｓ４１１で比較／制御部１０４はＡＶ信号の記録が終了したか否か、又は記録停止指示の有無を判断する。比較／制御部１０４はＡＶ信号に係る番組やコンテンツの記録が終了したと判定した場合、Ｓ４１４に処理を進める。また比較／制御部１０４は、リモートコントローラ等の操作装置を用いたユーザ操作によって記録停止指示を受けた場合、Ｓ４１４に処理を進める。番組等の記録が終了していない場合やユーザ操作による記録停止指示を受けていない場合、Ｓ４１２に進む。
Ｓ４１２で電力量検出部１０２は、電力供給部１０１から無線電力送信部１０３へ供給される電力量を検出する。Ｓ４１３で比較／制御部１０４は、電力量検出部１０２から得た電力量検出値を前記閾値と比較する。電力量検出値が閾値以下であると比較／制御部１０４が判定した場合（Ｓ４１３のＮＯ）、Ｓ４１５に進む。一方、電力量検出値が閾値を超えたと比較／制御部１０４が判定した場合（Ｓ４１３のＹＥＳ）、Ｓ４１６に進む。
Ｓ４１４で比較／制御部１０４は、ＡＶ信号記録装置１０８がＡＶ信号の記録を停止するように制御した後、Ｓ４１７に進んで処理を終了する。またＳ４１５で比較／制御部１０４は、ＡＶ信号記録装置１０８によるＡＶ信号の記録を続行させながら、記録済みのＡＶ信号を再生させるように制御を行う。その理由は、記録中のＡＶ信号を再生している間に放送されている番組やコンテンツを示すＡＶ信号を記録し続けないとＡＶ信号が欠落してしまい、ユーザに提示する映像及び音声の連続性を保証できなくなってしまうからである。その後、Ｓ４１７に進んで処理を終了する。Ｓ４１６で比較／制御部１０４は、ＡＶ信号記録装置１０８によるＡＶ信号の記録を続行させるように制御した後、Ｓ４１７に進んで処理を終了する。
【００１７】
以上のように第１実施形態によれば、ディスプレイ２００が電力不足状態となり、無線電力送信部１０３から送信される電力が閾値を超えた場合、比較／制御部１０４はディスプレイ２００の動作に必要な電力量が供給できていないと判定する。この場合、比較／制御部１０４はＡＶ信号記録装置１０８によりＡＶ信号の記録を開始させるので、その後、記録されたＡＶ信号を再生することで、ユーザは番組を見逃すことなく視聴できる。
なお本実施形態では、無線送信ユニット１００が電力及びＡＶ信号を無線電力送信装置内の送信部から無線送信する例を説明した。これに限らず、電力の無線送信部とＡＶ信号の無線送信部を異なる装置内の別ユニットとして構成しても、前記と同様の制御を行える。また、前記の例では受信アンテナ１０５で受信したテレビジョン放送信号の記録例を説明したが、ブロードバンド経由で取得されるストリーミング動画等を対象とする場合でも、前記と同様の制御により録画や録音を行える。
【００１８】
（第２実施形態）
次に本発明の第２実施形態を説明する。第２実施形態では、コンテンツの再生中に電力不足状態が生じた場合の再生制御について説明する。なお、以下では第１実施形態の場合と同様の構成要素について、既に使用した符号と同じ符号を用いることでそれらの詳細な説明を省略し、第１実施形態との相違点を主として説明する。
図６は第２実施形態に係る無線送信ユニット５００の構成例を示すブロック図である。無線送信ユニット５００は、第１実施形態に係る図２（Ａ）の構成から、受信アンテナ１０５、チューナ１０６を削除し、ＡＶ信号記録装置１０８をＡＶ信号再生装置５０１で置き換えた構成をもつ。なお、ディスプレイ２００の構成は第１実施形態に係る図２（Ｂ）に示す通りである。
無線送電については第１実施形態の場合と同じであるため説明を省略し、図２（Ｂ）および図６を用いてＡＶ信号の伝送について説明する。
ＡＶ信号再生装置５０１は、ＤＶＤ（Digital Versatile Disc）等のＡＶ信号を記録したメディアの再生機能をもつ装置であり、コンテンツの再生信号を出力する。本例でＡＶ信号再生装置５０１が無線送信ユニット５００の装置内に設けられているが、無線送信ユニット５００に接続される装置外の再生装置であってもよい。ＡＶ信号処理部１０７はＡＶ信号再生装置５０１からＡＶ信号を読み出し、フォーマット変換や圧縮処理等を行い、処理後の再生信号をＡＶ信号無線送信部１０９へ送る。ＡＶ信号無線送信部１０９が送信した信号をディスプレイ２００が受信して、映像信号を表示部２０６に送り、音声信号をスピーカ２０７に送る処理は第１実施形態の場合と同じである。
【００１９】
次に、無線送信ユニット５００の電力量検出部１０２および比較／制御部１０４の動作について説明する。
電力量検出部１０２は、電力供給部１０１から無線電力送信部１０３へ供給される電力量を検出する。比較／制御部１０４は、電力量検出部１０２から電力量検出値を受け取り、これを前記閾値と比較する。電力量検出値が閾値を超えた場合、比較／制御部１０４はＡＶ信号処理部１０７に対し、ＡＶ信号再生装置５０１によるＡＶ信号の読み出し（再生）を一時停止させるように制御する。
【００２０】
次に無線送信ユニット１００内で送信電力を検出し、記録媒体に記録されたコンテンツの再生停止を行う処理について、図７のフローチャートを用いて説明する。
Ｓ７００で処理が開始し、この時点でＡＶ信号再生装置５０１はコンテンツを再生中である。Ｓ７０１で電力量検出部１０２は、電力供給部１０１から無線電力送信部１０３へ供給される電力量を検出して、電力量検出値を比較／制御部１０４へ送り、Ｓ７０２へ進む。Ｓ７０２で比較／制御部１０４は、Ｓ７０１で得た電力量検出値を前記閾値と比較し、電力量検出値が閾値を超えたか否かを判定する。電力量検出値が閾値以下であると判定された場合（Ｓ７０２のＮＯ）、Ｓ７０４に進む。Ｓ７０４で比較／制御部１０４は、ＡＶ信号再生装置５０１によるＡＶ信号の再生を続行させるように制御する。そしてＳ７０１に戻り、継続して電力量検出が行われる。
一方、Ｓ７０２で電力量検出値が閾値を超えたと判定された場合（Ｓ７０２のＹＥＳ）、Ｓ７０３に進む。Ｓ７０３で比較／制御部１０４はＡＶ信号処理部１０７に対して、ＡＶ信号再生装置５０１によるＡＶ信号の再生を停止させるように制御する。その際、比較／制御部１０４はコンテンツの再生停止位置を示すデータをメモリに記憶させる。そしてＳ７０５に進んで処理を終了する。なお、コンテンツの再生が終了した場合、またはユーザ操作によるコンテンツの再生停止指示があった場合、比較／制御部１０４はＡＶ信号処理部１０７に制御指令を出してコンテンツの再生を停止させるように制御する。
【００２１】
次に、ＡＶ信号再生装置５０１によるＡＶ信号の再生停止後に、ＡＶ信号の再生を開始させる処理について、図８のフローチャートを用いて説明する。
Ｓ７１０で処理が開始し、この時点でコンテンツの再生は停止中である。Ｓ７１１で電力量検出部１０２は、電力供給部１０１から無線電力送信部１０３へ供給される電力量を検出して、電力量検出値を比較／制御部１０４へ送る。Ｓ７１２で比較／制御部１０４は、Ｓ７１１で得た電力量検出値を前記閾値と比較し、電力量検出値が閾値を超えたか否かを判定する。電力量検出値が閾値を超えていると判定された場合（Ｓ７１２のＹＥＳ）、Ｓ７１４に進む。Ｓ７１４で比較／制御部１０４は、ＡＶ信号再生装置５０１の再生停止を継続させるように制御する。そしてＳ７１１に戻り、継続して電力量検出が行われる。
一方、Ｓ７１２で電力量検出値が閾値以下であると判定された場合（Ｓ７１２のＮＯ）、Ｓ７１３に進む。Ｓ７１３で比較／制御部１０４はＡＶ信号処理部１０７に対して、ＡＶ信号再生装置５０１によるＡＶ信号の再生を開始させるように制御する。比較／制御部１０４は、前回の再生停止時にメモリに記憶しておいた再生停止位置を示すデータを読み出してＡＶ信号処理部１０７に渡し、この再生停止位置からコンテンツの再生を開始させるよう指示する。そしてＳ７１５に進んで処理を終了する。なお図８と同様の処理は、第１実施形態にてＡＶ信号の記録後に、記録済み信号の再生を開始する場合に適用可能である。この場合、記録済み信号の再生開始は、比較／制御部１０４からＡＶ信号処理部１０７に制御指令が出され、ＡＶ信号記録装置１０８からＡＶ信号を読み出すことによって行われる。
【００２２】
第２実施形態では、コンテンツの再生中にディスプレイ２００が電力不足状態となり、無線電力送信部１０３から送信される電力が閾値を超えた場合、電力量検出部１０２はディスプレイ２００の動作に必要な電力が供給できていないと判定する。この場合、比較／制御部１０４はＡＶ信号再生装置５０１によるコンテンツの再生を一時的に停止させ、再生停止位置をメモリに記憶させる。その後に再生を再開するときには、再生停止位置からコンテンツの再生が開始する。これにより、コンテンツの再生を開始する際に、ユーザは再生を停止した位置を探す不便を感じることなく視聴を再開できる。
【符号の説明】
【００２３】
１００  無線送信ユニット
１０２  電力量検出部
１０３  無線電力送信部
１０４  比較／制御部
１０８  ＡＶ信号記録装置
１０９  ＡＶ信号無線送信部
５００  無線送信ユニット
５０１  ＡＶ信号再生装置
【図１】
2012085499.tif 000003
【図２】
2012085499.tif 000004
【図３】
2012085499.tif 000005
【図４】
2012085499.tif 000006
【図５】
2012085499.tif 000007
【図６】
2012085499.tif 000008
【図７】
2012085499.tif 000009
【図８】
2012085499.tif 000010